(57)【要約】【課題】  立会人が印刷現場に赴かなくても印刷物の色調を確認して調整指示を出すことが可能な、色調確認システム等を提供する。【解決手段】  色調確認システム１００は、本印刷前に印刷機３０で印刷した印刷物３の色調の確認を依頼するための第１装置１０と、印刷物３の色調を確認するための第２装置２０と、がネットワークを介して接続されて構成される。第１装置１０は、印刷物３の画像である印刷物画像３Ａと印刷見本４の画像である印刷見本画像４Ａを取得する画像取得手段と、印刷物画像３Ａと印刷見本画像４Ａを第２装置２０へ送信する送信手段と、を備え、第２装置２０は、第１装置１０から印刷物画像３Ａと印刷見本画像４Ａを受信する受信手段と、受信した印刷物画像３Ａと印刷見本画像４Ａを表示する表示手段と、印刷見本４と、を備える。【選択図】図１
2018176546.tif 000002
【特許請求の範囲】
【請求項１】
本印刷前に印刷機で印刷した印刷物の色調の確認を依頼するための第１装置と、前記印刷物の色調を確認するための第２装置と、がネットワークを介して接続された色調確認システムであって、
前記第１装置は、
前記印刷物の画像である印刷物画像と前記印刷物の見本の画像である印刷見本画像を取得する画像取得手段と、
前記印刷物画像と前記印刷見本画像を前記第２装置へ送信する送信手段と、を備え、
前記第２装置は、
前記第１装置から前記印刷物画像と前記印刷見本画像を受信する受信手段と、
受信した前記印刷物画像と前記印刷見本画像を表示する表示手段と、
を備えることを特徴とする色調確認システム。
【請求項２】
前記印刷物画像と前記印刷見本画像は、同一の画像取得デバイスを用いて取得された画像である
ことを特徴とする請求項１に記載の色調確認システム。
【請求項３】
前記印刷物画像と前記印刷見本画像は、同一の照明条件下で取得された画像である
ことを特徴とする請求項２に記載の色調確認システム。
【請求項４】
前記画像取得デバイスは、カメラまたはスキャナである
ことを特徴とする請求項２または請求項３に記載の色調確認システム。
【請求項５】
前記第１装置は、前記印刷物画像と前記印刷見本画像を表示する表示手段、を更に備える
ことを特徴とする請求項１から請求項４のいずれかに記載の色調確認システム。
【請求項６】
前記第１装置および前記第２装置の表示手段は、同一性能の表示デバイスであることを特徴とする請求項５に記載の色調確認システム。
【請求項７】
前記第１装置と前記第２装置は、同一の照明環境下に設置されていることを特徴とする請求項６に記載の色調確認システム。
【請求項８】
前記第２装置は、前記印刷物の見本である印刷見本、を更に備えることを特徴とする請求項１から請求項７のいずれかに記載の色調確認システム。
【請求項９】
前記印刷物画像と前記印刷見本画像は、デバイスに依存しない色空間を有し、且つ、広色域の色空間を有するデータ形式の画像である
ことを特徴とする請求項１から請求項８のいずれかに記載の色調確認システム。
【請求項１０】
前記第１装置は、
前記画像取得手段により一度取得した印刷見本画像を記憶する記憶手段、を更に備え、
前記第１装置の前記送信手段、又は前記表示手段は、前記記憶手段から読み出した前記印刷見本画像を送信、又は表示する
ことを特徴とする請求項１から請求項９のいずれかに記載の色調確認システム。
【請求項１１】
前記第２装置は、
前記受信手段により一度受信した印刷見本画像を記憶する記憶手段、を更に備え、
前記第２装置の前記表示手段は、前記記憶手段から読み出した前記印刷見本画像を表示する
ことを特徴とする請求項１から請求項１０のいずれかに記載の色調確認システム。
【請求項１２】
印刷機で印刷した印刷物と該印刷物の見本である印刷見本を用意する工程と、
前記印刷物の画像である印刷物画像と前記印刷見本の画像である印刷見本画像を取得する工程と、
前記印刷機から離れた場所で前記印刷物画像と前記印刷見本画像を表示画面に表示する工程と、
表示された前記印刷物画像と前記印刷見本画像に基づいて前記印刷物の色調確認を行う工程と、
を備えることを特徴とする色調確認方法。
【発明の詳細な説明】
【技術分野】
【０００１】
本発明は、本印刷前の印刷物の色調を確認する、色調確認システム、及び色調確認方法に関する。
【背景技術】
【０００２】
印刷見本と同じ色で印刷するために、使用するインキの分光反射率特性を定量的に決める方法として、特許文献１のような手段がある。しかし、周辺環境の温度・湿度の変化、刷版作成時の誤差などの要因により、定量的な色合せ方法だけでは、完全に同じ色にはならない。そこで、印刷物を本印刷する前に、事前に印刷物の色調が印刷物の見本（標準）である印刷見本の色調と同じであるかを確認し、差異が認められる場合は手動でインキ配合比を微調整する必要がある。印刷物の色調の確認（色調確認）とインキ配合比の微調整の指示は、通常、印刷物と印刷見本との両方を特殊な光源下で目視によって行われる。
【先行技術文献】
【特許文献】
【０００３】
【特許文献１】特開２００５−３３１２６６号公報
【特許文献２】特開２００２−２７１８２５号公報
【発明の概要】
【発明が解決しようとする課題】
【０００４】
しかしながら、このように印刷物の色調確認を行う場合、顧客や営業担当者等の立会人は、印刷物と印刷見本がある印刷現場に赴く必要がある。このため、印刷現場の所在地と立会人の所在地が離れている場合には、印刷現場への移動に多くの時間がとられる。また、印刷現場の進行状況によっては立会時間が前後することもあり、この場合、立会人は、印刷現場で長時間拘束されることになる。
【０００５】
本発明は、前述した問題点に鑑みてなされたものであり、その目的とすることは、立会人が印刷現場に赴かなくても印刷物の色調を確認して調整指示を出すことが可能な、色調確認システム等を提供することである。
【課題を解決するための手段】
【０００６】
前述した目的を達成するための第１の発明は、本印刷前に印刷機で印刷した印刷物の色調の確認を依頼するための第１装置と、前記印刷物の色調を確認するための第２装置と、がネットワークを介して接続された色調確認システムであって、前記第１装置は、前記印刷物の画像である印刷物画像と前記印刷物の見本の画像である印刷見本画像を取得する画像取得手段と、前記印刷物画像と前記印刷見本画像を前記第２装置へ送信する送信手段と、を備え、前記第２装置は、前記第１装置から前記印刷物画像と前記印刷見本画像を受信する受信手段と、受信した前記印刷物画像と前記印刷見本画像を表示する表示手段と、を備えることを特徴とする色調確認システムである。
【０００７】
前述した目的を達成するための第２の発明は、印刷機で印刷した印刷物と該印刷物の見本である印刷見本を用意する工程と、前記印刷物の画像である印刷物画像と前記印刷見本の画像である印刷見本画像を取得する工程と、前記印刷機から離れた場所で前記印刷物画像と前記印刷見本画像を表示画面に表示する工程と、
表示された前記印刷物画像と前記印刷見本画像に基づいて前記印刷物の色調確認を行う工程と、を備えることを特徴とする色調確認方法である。
【発明の効果】
【０００８】
本発明により、立会人が印刷現場に赴かなくても印刷物の色調を確認して調整指示を出すことが可能な、色調確認システム、及び色調確認方法が提供される。
【図面の簡単な説明】
【０００９】
【図１】色調確認システム１００の全体構成を示す図
【図２】色管理の概要を示す図
【図３】色調確認の工程を示すフローチャート
【発明を実施するための形態】
【００１０】
以下図面に基づいて、本発明の実施形態を詳細に説明する。
【００１１】
（色調確認システム１００）
図１は、本発明に係る色調確認システム１００の全体構成を示す図である。図１に示すように、色調確認システム１００は、印刷工場内の撮影室に設置された第１装置１０と、印刷工場から離れた場所にある立会室に設置された第２装置２０と、が外部ネットワーク４０を介して接続されて構成される。
【００１２】
第１装置１０は、立会室に居る立会人Ｐ２（顧客や営業担当者など）に、本印刷前の印刷物３の色調の確認を依頼するために構成された装置である。
第１装置１０は、図１に示すように、画像取得装置１３、ＰＣ１５、表示モニタ１７、を備える。画像取得装置１３と表示モニタ１７は、ＰＣ１５と有線又は無線で接続されている。
【００１３】
画像取得装置１３は、本印刷前に印刷工場の印刷機３０で印刷した印刷物３の画像である印刷物画像３Ａと印刷物３の見本（以下、印刷見本４）の画像である印刷見本画像４Ａを、画像取得デバイスを用いて取得する。取得した印刷物画像３Ａと印刷見本画像４ＡはＰＣ１５に送られ、ＰＣ１５の記憶部に記憶される。
【００１４】
画像取得デバイスは、カメラまたはスキャナである。画像デバイスがカメラの場合、印刷物画像３Ａと印刷見本画像４Ａは、カメラで撮影した画像である。画像デバイスがスキャナの場合、印刷物画像３Ａと印刷見本画像４Ａは、スキャナで読み取った画像である。
【００１５】
画像取得装置１３は、印刷物画像３Ａと印刷見本画像４Ａの両画像を、同一の取得条件（同一の画像取得デバイス、且つ、同一の照明条件）によって取得することが望ましい。同一の取得条件によって印刷物画像３Ａと印刷見本画像４Ａを取得すれば、両画像を表示モニタに表示した際に、表示モニタ上で両画像の色調を正確に比較できるためである。画像取得装置１３は、例えば、以下のような取得方法により、印刷物画像３Ａと印刷見本画像４Ａを、同一の取得条件で取得する。
【００１６】
（取得方法１：印刷物画像３Ａと印刷見本画像４Ａを「同時」に取得）
所定の画像取得デバイス（カメラまたはスキャナ）を用いて、所定の照明条件下で、印刷物３と印刷見本４を「同時」に撮影またはスキャンする。（取得方法１）によれば、印刷物画像３Ａと印刷見本画像４Ａを含む１つの画像が取得される。（取得方法１）によれば、印刷物３と印刷見本４を「同時」に撮影またはスキャンするので、両画像（印刷物画像３Ａおよび印刷見本画像４Ａ）の取得条件が必然的に同一となる。
【００１７】
（取得方法２：印刷物画像３Ａと印刷見本画像４Ａを「別々」に取得）
所定の画像取得デバイス（カメラまたはスキャナ）を用いて、所定の照明条件下で、印刷物３を撮影またはスキャンし、印刷物画像３Ａを取得する。続いて、印刷物画像３Ａを取得したときと同一の画像取得デバイス（カメラまたはスキャナ）を用いて、印刷物画像３Ａを取得したときと同一の照明条件下で、印刷見本４を撮影またはスキャンし、印刷見本画像４Ａを取得する。（取得方法２）によれば、印刷物画像３Ａと印刷見本画像４Ａが別々の画像として取得される。なお、印刷物画像３Ａと印刷見本画像４Ａの取得順序は逆でもかまわない。
【００１８】
図１では、カメラを用いて（取得方法１）により印刷物画像３Ａと印刷見本画像４Ａを同時に取得する場合を示している。図に示すように、カメラの撮影視野内に印刷物３と印刷見本４を並べて配置し、撮影を行う。これにより、印刷物画像３Ａと印刷見本画像４Ａを含む１つの画像が取得される。
【００１９】
なお、本願請求項に記載の「前記印刷物の画像である印刷物画像と前記印刷物の見本の画像である印刷見本画像を取得する画像取得手段」は、上記した（取得方法１）のように印刷物画像３Ａと印刷見本画像４Ａを含む１つの画像を取得する場合と、（取得方法２）のように印刷物画像３Ａと印刷見本画像４Ａを別々の画像として取得する場合、の双方を含む。
【００２０】
また、画像取得装置１３は、印刷物画像３Ａと印刷見本画像４Ａを、デバイスに依存しない色空間を有し、且つ、広色域の色空間を有するデータ形式の画像として取得することが望ましい。この条件を満たすデータ形式としては、例えば、Adobe RGB、S-Gamut、Rec.2020等がある（但し、これらに限定されない）。
【００２１】
ＰＣ１５は、ノートパソコン、デスクトップパソコン、タブレット端末等の汎用のコンピュータである。ＰＣ１５は、制御部（ＣＰＵ、ＲＯＭ、ＲＡＭ等）、記憶部（ハードディスクドライブ等）、入力部（キーボード、マウス等）、表示部、メディア入出力部（ＣＤ、ＤＶＤ等の各種記憶媒体のドライブ装置）、画像取得装置１３および表示モニタ１７とのデータの授受を媒介する周辺機器Ｉ／Ｆ（インターフェース）部、外部ネットワーク４０を介して第２装置（ＰＣ２５）とデータの送受信を行う送受信部、等を備える（不図示）。
【００２２】
ＰＣ１５は、周辺機器Ｉ／Ｆ部等を介して画像取得装置１３から印刷物画像３Ａと印刷見本画像４Ａを取得し、記憶部に記憶するともに、印刷物画像３Ａと印刷見本画像４Ａを表示モニタ１７の表示画面５に表示させる。
また、ＰＣ１５は、外部ネットワーク４０を介して、印刷物画像３Ａと印刷見本画像４Ａを、立会室内の第２装置（ＰＣ２５）に送信する。このとき、印刷物画像３Ａと印刷見本画像４Ａを含む１つの画像として送信してもよいし、印刷物画像３Ａと印刷見本画像４Ａを別々の画像として送信してもよい。例えば、前記した（取得方法１）のように印刷物画像３Ａと印刷見本画像４Ａを同時に取得した場合は、印刷物画像３Ａと印刷見本画像４Ａを含む１つの画像として送信し、前記した（取得方法２）のように印刷物画像３Ａと印刷見本画像４Ａを別々の画像として取得した場合は、別々の画像として送信する。
【００２３】
表示モニタ１７は、広色域に対応した表示モニタであり、表示画面５上に印刷物画像３Ａと印刷見本画像４Ａを表示する。
【００２４】
なお、本実施の形態では、標準光で、印刷物を見た色と、表示モニタ１７に表示される印刷物の色（印刷物画像３Ａの色）と、が同じとなるように、適切に色管理されているものとする。
図２は、本実施の形態の色管理の概要を説明する図である。図に示すように、印刷物３をカメラまたはスキャナで読み取ったデータを、デバイスに依存しない色空間のデータ（デバイス非依存データ）に変換し、ＰＣ１５を介して表示モニタ１７に表示したとする。本実施の形態では、標準光１９で、印刷物３を見た色と、表示モニタ１７に表示される印刷物画像３Ａの色と、が同じとなるように、カメラまたはスキャナ、及び表示モニタ１７が適切に色管理されているものとする。
【００２５】
第２装置２０は、本印刷前に印刷工場で印刷した印刷物３の色調を、遠隔地から確認するために構成された装置である。
第２装置２０は、図１に示すように、ＰＣ２５、表示モニタ２７、印刷見本４を備える。表示モニタ２７は、ＰＣ２５と有線又は無線で接続されている。
【００２６】
ＰＣ２５は、ノートパソコン、デスクトップパソコン、タブレット端末等の汎用のコンピュータである。ＰＣ２５は、ＰＣ１５と同様に、制御部（ＣＰＵ、ＲＯＭ、ＲＡＭ等）、記憶部（ハードディスクドライブ等）、入力部（キーボード、マウス等）、表示部、メディア入出力部（ＣＤ、ＤＶＤ等の各種記憶媒体のドライブ装置）、表示モニタ２７とのデータの授受を媒介する周辺機器Ｉ／Ｆ（インターフェース）部、外部ネットワーク４０を介して第１装置（ＰＣ１５）とデータの送受信を行う送受信部、等を備える（不図示）。
ＰＣ２５は、外部ネットワーク４０を介して、第１装置１０（ＰＣ１５）から印刷物画像３Ａと印刷見本画像４Ａを受信し、記憶部に格納するとともに、印刷物画像３Ａと印刷見本画像４Ａを表示モニタ２７の表示画面５に表示させる。
【００２７】
表示モニタ２７は、広色域に対応した表示モニタであり、表示画面５上に印刷物画像３Ａと印刷見本画像４Ａを表示する。本実施の形態では、立会室と撮影室とで印刷物画像３Ａと印刷見本画像４Ａの見え方を共有するため、立会室の表示モニタ２７と撮影室の表示モニタ１７は同一性能の表示モニタ（表示デバイス）とする。同一性能の表示モニタ（表示デバイス）とは、例えば、同一メーカ、同一機種、及び同一型番の表示モニタ（表示デバイス）のことをいう。
【００２８】
印刷見本４は、印刷物３の見本（標準）であり、表示モニタ２７と比較できる位置に配置されている。
【００２９】
なお、表示モニタ（１７、２７）は本願請求項の「表示手段」に相当するが、本願請求項の「表示手段」は表示モニタに限定されない。例えば、表示スクリーンやＰＣ（１５、２５）の表示部など、画像を表示可能なあらゆる表示デバイスを本願請求項の「表示手段」として機能させることができる。
【００３０】
（色調確認の工程）
次に、図３のフローチャートを参照しながら、図１の色調確認システム１００による色調確認の工程を説明する。ここでは、画像取得装置１３の画像取得デバイスがカメラである場合を説明する。また、照明環境が異なると、印刷見本４や印刷物３の色の見え方が変化し、表示モニタの見え方も、人間の視覚系の順応状態の違いの影響により、変化するため、撮影室と立会室の照明環境が同一となるように、同一種類の照明器具を設置したうえで、事前に、簡易分光測定器１８、２８を用いて照明光１９、２９の照度が同一になるように調整されているものとする。照明器具としては、平均演色評価数Raが90以上、相関色温度が5000Kの、色評価用照明の採用が好ましい。また、照度はISO 3664:2009で定められているとおり、2000±500ルクスに調整するのが望ましい。
【００３１】
まず、印刷工場のオペレータＰ１は、印刷物３と印刷見本４を用意する。具体的には、オペレータＰ１は、印刷工場に設置されている印刷機３０を操作して印刷物３を印刷出力し（ステップＳ１）、印刷物３を所定のサイズに切り出す（ステップＳ２）。そして、オペレータＰ１は、切り出した印刷物３と印刷見本４を同工場内の撮影室へ運ぶ。
【００３２】
続いて、オペレータＰ１は、カメラを操作し、印刷物３と印刷見本４を撮影し、印刷物３の画像である印刷物画像３Ａと印刷見本４の画像である印刷見本画像４Ａを取得する（ステップＳ３）。具体的には、前記した（取得方法１）および（取得方法２）のような取得方法によって、印刷物画像３Ａと印刷見本画像４Ａを、同一の取得条件で取得する。取得された印刷物画像３Ａと印刷見本画像４Ａは、ＰＣ１５に送られ、ＰＣ１５の記憶部に記憶される。
【００３３】
なお、（取得方法２）の取得方法を採用した場合（印刷物画像３Ａと印刷見本画像４Ａを別々に取得した場合）、印刷見本画像４Ａについては再利用できる。したがって、本工程終了後に印刷物３を再調整する必要がある場合（本工程を最初からやり直す必要がある場合）には、ステップＳ３においては印刷物画像３Ａのみを取得すればよい（印刷見本画像４Ａを再取得する必要はない）。
【００３４】
続いて、オペレータＰ１の操作により、ＰＣ１５に記憶された印刷物画像３Ａと印刷見本画像４Ａを読み出し、表示モニタ１７に表示させる（ステップＳ４）。印刷物画像３Ａと印刷見本画像４Ａの表示の仕方は任意である。例えば、図１のように印刷物画像３Ａと印刷見本画像４Ａを１つの画面で比較できるように表示画面５上に並べて表示させる表示の仕方としてもよいし、表示画面５上に一方の画像（印刷物画像３Ａまたは印刷見本画像４Ａ）のみを表示させ、オペレータＰ１の表示切替操作等を受け付けることにより、他方の画像（印刷物画像３Ａまたは印刷見本画像４Ａ）に表示を切り替えるような表示の仕方としてもよい。
【００３５】
また、オペレータＰ１の操作により、ＰＣ１５に記憶された印刷物画像３Ａと印刷見本画像４Ａを読み出し、外部ネットワーク４０を介して、第２装置（ＰＣ２５）に送信する（ステップＳ５）。例えば、前記した（取得方法１）のように印刷物画像３Ａと印刷見本画像４Ａを同時に取得した場合は、印刷物画像３Ａと印刷見本画像４Ａを含む１つの画像として送信し、前記した（取得方法２）のように印刷物画像３Ａと印刷見本画像４Ａを別々の画像として取得した場合は、別々の画像として送信する。
【００３６】
なお、以前に印刷見本画像４Ａを第２装置（ＰＣ２５）に送信している場合（本工程が２回目以降である場合など）には、ステップＳ５における印刷見本画像４Ａの送信は省略可能である（第２装置（ＰＣ２５）の記憶部には、以前送信した印刷見本画像４Ａが記憶されているため）。
【００３７】
一方、立会室において、第２装置（ＰＣ２５）は、外部ネットワーク４０を介して、第１装置（ＰＣ１５）から印刷物画像３Ａと印刷見本画像４Ａを受信し、ＰＣ２５の記憶部に記憶するとともに（ステップＳ６）、表示モニタ２７に印刷物画像３Ａと印刷見本画像４Ａを表示させる（ステップＳ７）。印刷物画像３Ａと印刷見本画像４Ａの表示の仕方は任意である。例えば、図１のように印刷物画像３Ａと印刷見本画像４Ａを１つの画面で比較できるように表示画面５上に並べて表示させる表示の仕方としてもよいし、表示画面５上に一方の画像（印刷物画像３Ａまたは印刷見本画像４Ａ）のみを表示させ、立会人Ｐ２の表示切替操作等を受け付けることにより、他方の画像（印刷物画像３Ａまたは印刷見本画像４Ａ）に表示を切り替えるような表示の仕方としてもよい。
【００３８】
なお、前記したように、以前に送信済みであることを理由に、第１装置（ＰＣ１５）から印刷見本画像４Ａが送信されない場合がある。すなわち、ステップＳ６において、第２装置（ＰＣ２５）は、第１装置（ＰＣ１５）から印刷物画像３Ａのみを受信する場合がある。この場合は、ステップＳ７において、第２装置（ＰＣ２５）は、記憶部に以前記憶した印刷見本画像４Ａを読み出した上で、表示モニタ１７に印刷物画像３Ａと印刷見本画像４Ａを表示させる。
【００３９】
そして、立会人Ｐ２は、表示モニタ２７に表示された印刷物画像３Ａと印刷見本画像４Ａに基づいて印刷物３の色調確認を行う（ステップＳ８）。
例えば、色調確認の結果、印刷物画像３Ａと印刷見本画像４Ａに色調のズレがあり、立会人Ｐ２が、印刷物３の色調整が必要と判断した場合は（ステップＳ９；Ｎｏ）、撮影室または印刷現場のオペレータＰ１等に印刷物３の色調整の指示を送り、ステップＳ１へ戻る。この場合、オペレータＰ１は、印刷物３を色調整した上で、上記した同様の工程（ステップＳ１〜ステップＳ８）を繰り返す。
【００４０】
一方、印刷物画像３Ａと印刷見本画像４Ａに色調のズレがなく（或いは色調のズレが許容内であり）、立会人Ｐ２が、印刷物３の色調整が不要と判断した場合（ステップＳ９；Ｙｅｓ）、撮影室または印刷現場のオペレータＰ１等に本印刷の指示を送り、本印刷の工程に進む（ステップＳ１０）。
【００４１】
以上、本実施の形態によれば、立会人Ｐ２は、本印刷前の印刷物３の画像である印刷物画像３Ａと印刷見本４の画像である印刷見本画像４Ａを、印刷現場から離れた立会室の表示モニタ２７で確認できる。これにより、立会人Ｐ２は、印刷現場に赴かなくても表示モニタ２７上で印刷物３の色調を確認できる。特に、表示モニタ２７には、同一の取得条件（同一の画像取得デバイス、且つ、同一の照明条件）によって取得された印刷物３の印刷物画像３Ａと印刷見本４の印刷見本画像４Ａとが表示されているので、立会人Ｐ２は、表示モニタ２７上で印刷物３と印刷見本４の色調の違いを正確に把握できる。これによって、例えば、表示モニタ２７上の印刷物画像３Ａと印刷見本画像４Ａに色調のズレがあった場合に、印刷物３の色調を印刷見本４の色調に合わせるための色調整等の指示を遠隔地から的確に行うことができる。
【００４２】
また、本実施の形態では、撮影室（第１装置）と立会室（第２装置）には同一性能の表示モニタ１７が備えられ、且つ、撮影室と立会室が同一の照明環境となるように照明光１９、２９が調整されている。このため、撮影室の表示モニタ１７と立会室の表示モニタ２７には、印刷物画像３Ａと印刷見本画像４Ａが同一の見え方で表示されている。このように、表示モニタ上での印刷物画像３Ａと印刷見本画像４Ａの見え方が撮影室と立会室で共有されているため、立会室と撮影室との間で、色の認識にズレが生じることがなく、立会人Ｐ２からオペレータＰ１への色調整等の指示が正確に伝わる。
【００４３】
また、立会室には、印刷物３の見本である印刷見本４が用意されているので、立会人Ｐ２は、表示モニタ２７中の色調確認だけでなく、ターゲットである印刷見本４の色調も確認しながら色調整等の指示を的確に行うことができる。
【００４４】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００４５】
３      ：印刷物
４      ：印刷見本
３Ａ    ：印刷物画像
４Ａ    ：印刷見本画像
５      ：表示画面
１０    ：第１装置
１３    ：画像取得装置
１７    ：表示モニタ
１８    ：簡易分光測定器
１９    ：照明光
２０    ：第２装置
２７    ：表示モニタ
２８    ：簡易分光測定器
２９    ：照明光
３０    ：印刷機
４０    ：外部ネットワーク
１００  ：色調確認システム
Ｐ１    ：オペレータ
Ｐ２    ：立会人
【図１】
2018176546.tif 000003
【図２】
2018176546.tif 000004
【図３】
2018176546.tif 000005